(57)【要約】【課題】商品取出部の幅方向一端側に所定の機器が配置されている場合でも、所定の機器の後方に商品収納庫の搬出口を配置することのできる自動販売機を提供する。【解決手段】案内部材４０が右側の搬出口３１の前方に配置されるとともに硬貨収納庫２５の後方に配置され、案内部材４０は搬出口３１から搬出された商品を商品取出部２６の平面部２６ｂ側に案内するようになっているので、硬貨収納庫２５の後方に右側の搬出口３１が配置されていても、右側の搬出口３１から搬出された商品が商品取出部２６に案内される。従って、商品取出部２６の右側に硬貨収納庫２５が配置されている場合でも、硬貨収納庫２５の後方に商品収納庫３０の搬出口３１を配置することができる。【選択図】図２
2008123023.tif 000002
【特許請求の範囲】
【請求項１】
前面を開口した自動販売機本体と、自動販売機本体の前面を開閉する外扉と、自動販売機本体内に設けられた商品収納庫と、商品収納庫の前面に設けられ、商品収納庫内の商品が搬出される複数の搬出口と、外扉が閉鎖されている状態で各搬出口よりも前方に位置するように外扉に設けられ、各搬出口から搬出される商品を前方から取出可能に収容する商品取出部と、商品取出部の幅方向一端側に配置されるように外扉に設けられ、外扉が閉鎖されている状態で各搬出口のうち所定の搬出口の前方に配置される所定の機器とを備えた自動販売機において、
前記外扉が閉鎖されている状態で前記所定の搬出口の前方に配置されるとともに前記所定の機器の後方に配置され、前記所定の搬出口から搬出される商品を商品取出部に案内する案内部材を備えた
ことを特徴とする自動販売機。
【請求項２】
前記案内部材を商品取出部の幅方向一端側に回動可能に設け、
案内部材を、回動方向一方に回動すると前記所定の機器の後方に配置され、回動方向他方に回動すると商品取出部の背面側に配置されるように構成した
ことを特徴とする請求項１記載の自動販売機。
【請求項３】
前記所定の機器の後方に配置された案内部材の回動を規制可能な回動規制手段を備えた
ことを特徴とする請求項２記載の自動販売機。
【請求項４】
前記案内部材を商品取出部の幅方向一端側に着脱自在に取付けた
ことを特徴とする請求項１記載の自動販売機。
【発明の詳細な説明】
【技術分野】
【０００１】
本発明は、例えば飲料商品や食品を販売する自動販売機に関するものである。
【背景技術】
【０００２】
一般に、この種の自動販売機としては、前面を開口した自動販売機本体と、自動販売機本体の前面を開閉する外扉と、自動販売機本体内に設けられた商品収納庫と、商品収納庫の前面下部に設けられ、商品収納庫内の商品が搬出される複数の搬出口と、外扉に設けられるとともに、外扉が閉鎖されている状態で各搬出口の前方に配置され、搬出口から搬出される商品を外扉の前方から取出可能に収容する商品取出部と、外扉の前面における右側に設けられた貨幣投入口と、外扉の背面側における貨幣投入口の背面側下方に設けられるとともに、外扉が閉鎖されている状態で商品収納庫の前方に配置される硬貨選別収納装置とを備えたものが知られている（例えば、特許文献１参照。）。
【特許文献１】特開２００６−２１５６７０号公報
【発明の開示】
【発明が解決しようとする課題】
【０００３】
ところで、前記自動販売機では、商品収納庫内は断熱性を有する複数の仕切壁によって複数の庫室に仕切られ、前記搬出口は各庫室に対応するように設けられている。また、各庫室内にはそれぞれ商品コラムが複数ずつ設けられ、各庫室はそれぞれ設定された所定温度に加熱または冷却されるようになっている。ここで、前記硬貨選別収納装置は小さいものではなく、硬貨選別収納装置は貨幣投入口の背面側下方に設けられているので、硬貨選別収納装置が外扉の背面側における商品取出部の右側に配置され、硬貨選別収納装置の分だけ商品取出部の幅寸法が小さくなる。即ち、商品収納庫の各庫室のうち一番右側の庫室の搬出口が硬貨選別収納装置を避けた位置に配置されるので、一番右側の庫室の幅寸法を小さくすることができず、商品収納庫内の庫室の配置に制約が生ずるという問題点があった。
【０００４】
本発明は前記問題点に鑑みてなされたものであり、その目的とするところは、商品取出部の幅方向一端側に所定の機器が配置されている場合でも、所定の機器の後方に商品収納庫の搬出口を配置することのできる自動販売機を提供することにある。
【課題を解決するための手段】
【０００５】
本発明は前記目的を達成するために、前面を開口した自動販売機本体と、自動販売機本体の前面を開閉する外扉と、自動販売機本体内に設けられた商品収納庫と、商品収納庫の前面に設けられ、商品収納庫内の商品が搬出される複数の搬出口と、外扉が閉鎖されている状態で各搬出口よりも前方に位置するように外扉に設けられ、各搬出口から搬出される商品を前方から取出可能に収容する商品取出部と、商品取出部の幅方向一端側に配置されるように外扉に設けられ、外扉が閉鎖されている状態で各搬出口のうち所定の搬出口の前方に配置される所定の機器とを備えた自動販売機において、前記外扉が閉鎖されている状態で前記所定の搬出口の前方に配置されるとともに前記所定の機器の後方に配置され、前記所定の搬出口から搬出される商品を商品取出部に案内する案内部材を備えている。
【０００６】
これにより、外扉が閉鎖されている状態で前記所定の搬出口の前方に配置されるとともに前記所定の機器の後方に配置される案内部材が設けられ、案内部材は所定の搬出口から搬出される商品を商品取出部に案内することから、所定の機器の後方に搬出口が配置されていても、その搬出口から搬出された商品が商品取出部に案内される。
【発明の効果】
【０００７】
本発明によれば、所定の機器の後方に搬出口が配置されていても、その搬出口から搬出された商品を商品取出部に案内することができるので、商品取出部の幅方向一端側に所定の機器が配置されている場合でも、所定の機器の後方に商品収納庫の搬出口を配置することができ、商品収納庫内の庫室の配置を任意に設定することができる。
【発明を実施するための最良の形態】
【０００８】
図１乃至図７は本発明の一実施形態を示すもので、図１は自動販売機の斜視図、図２は外扉を開放した状態の自動販売機の斜視図、図３は自動販売機の正面図、図４は自動販売機本体の正面図、図５乃至図７は外扉の要部斜視図である。
【０００９】
この自動販売機は、前面を開口した自動販売機本体１０と、自動販売機本体１０の前面を開閉する外扉２０と、自動販売機本体１０内に設けられた商品収納庫３０と、商品収納庫３０の前面に設けられ、商品収納庫３０内の商品が搬出される複数の搬出口３１と、外扉２０に設けられるとともに、外扉２０が閉鎖されている状態で各搬出口３１よりも前方に配置され、各搬出口３１から搬出される商品を外扉２０の前方から取出可能に収容する商品取出部２６とを備えている。尚、以下の文章中の方向の説明は図１及び図５に示した方向に準ずる。また、左右方向は幅方向と一致している。
【００１０】
自動販売機本体１０は矩形箱状に形成され、所定の設置面に設置されている。自動販売機本体１０内の商品収納庫３０の下側には図示しない周知の冷却装置及び加熱装置が設けられている。
【００１１】
外扉２０は自動販売機本体１０の開口部を開閉可能に形成され、外扉２０の左端部は自動販売機本体１０に回動可能に支持されている。外扉２０の前面には複数の商品サンプルを展示する展示室２１が設けられ、展示室２１の前面には各商品サンプルに対応した複数の商品選択ボタン２１ａが設けられている。また、外扉２０における展示室２１の右側には貨幣投入口２２が設けられている。外扉２０における貨幣投入口２２の背面側には貨幣選別装置２３が設けられ、貨幣投入口２２の下方には硬貨返却口２４が設けられている。硬貨返却口２４は貨幣選別装置２３よりも下方に設けられている。外扉２０の背面側における貨幣選別装置２３の下方には硬貨収納庫２５が設けられ、硬貨収納庫２５は矩形箱状に形成されている。また、硬貨収納庫２５の上端面には上方に向かって延びる係止突起２５ａが設けられている。硬貨選別装置２３内には図示しないつり銭収納部が設けられ、貨幣選別装置２３は投入された紙幣を収納可能に形成されるとともに、投入された硬貨をつり銭収納部か硬貨収納庫２５に収納するようになっている。
【００１２】
商品取出部２６は金属製の板状部材から成り、前面側及び背面側が開口している。商品取出部２６の底面の前後方向中央には凹状部２６ａが設けられ、凹状部２６ａは左右方向に延びるように形成されるとともに、凹状部２６ａは搬出口３１から搬出された商品を収容するようになっている。商品取出部２６の底面の後端には平面部２６ｂが設けられるとともに、平面部２６ｂは略水平方向に延びるように形成され、平面部２６ｂは搬出口３１から搬出された商品を凹状部２６ａ内に案内するようになっている。商品取出部２６は開閉自在な透明扉２６ｃが設けられ、商品取出部２６の左右方向の端部にはそれぞれ側面壁２６ｄが設けられている。また、各側面壁２６ｄのうち右側の側面壁２６ｄには案内部材４０が回動可能に取付けられている。
【００１３】
案内部材４０は、略水平方向に延びるように設けられた底面４０ａと、底面４０ａの前端から上方に延びるように設けられた正面壁４０ｂと、正面壁４０ｂの右端から後方に延びるように設けられた側面壁４０ｃと、正面壁４０ｂの上端から斜め後方に延びるように設けられた上端壁４０ｄと、底面４０ａの左端から下方に延びるように設けられた延設部４０ｅとを有する（図５参照）。また、正面壁４０ｂの一部が前方に向かって延びるように折り曲げられ、折り曲げられた部分に係止孔４０ｆが形成されている。係止孔４０ｆは硬貨収納庫２５の上端面の係止突起２５ａと係止可能に形成されている。係止孔４０ｆ及び係止突起２５ａは特許請求の範囲に記載した回動規制手段に相当する。
【００１４】
また、正面壁４０ｂの左端側には取付部材４１が固定され、取付部材４１の左端にはシャフト４２が挿入されている。シャフト４２は上下方向に延びるように形成され、シャフト４２の下端は右側の側面壁２６ｄに固定されている。取付部材４１はシャフト４２に対して回動可能であり、上下方向にも移動可能である。
【００１５】
即ち、案内部材４０を右方向に回動させるとともに、案内部材４０の係止孔４０ｆと硬貨収納庫２５の係止突起２５ａとを係止させることにより、案内部材４０が硬貨収納庫２５の後方に配置されるとともに、案内部材４０の回動が規制される（図５参照）。また、この状態で外扉２０を閉鎖すると、案内部材４０が各搬出口３１のうち右側の搬出口３１の前方に配置される。ここで、案内部材４０の底面４０ａは右側の搬出口３１の下端よりも下方に配置され、案内部材４０の底面４０ａは商品取出部２６の平面部２６ｂよりもわずかに上方に配置される。
【００１６】
一方、図５のように案内部材４０の係止孔４０ｆと硬貨収納庫２５の係止突起２５ａとが係止している状態で、案内部材４０を上方に移動させると、係止孔４０ｆと係止突起２５ａとの係止が解除され、案内部材４０を左方向に回動させることができる（図６参照）。また、案内部材４０を左方向に回動させると、案内部材４０が商品取出部２６の背面側に配置される（図７参照）。
【００１７】
商品収納庫３０は断熱性を有する板状部材から成り、矩形箱状に形成されている。商品収納庫３０内には断熱性を有する複数の仕切壁３０ａが設けられ、商品収納庫３０内は各仕切壁３０ａによって複数（本実施形態では３個）の庫室３０ｂに仕切られている。また、各庫室３０ｂはそれぞれ冷却装置または加熱装置によって所定の温度に冷却または加熱されるようになっている。各庫室３０ｂはそれぞれ内部に収納する商品コラムの個数の応じた幅寸法を有しており、右側及び中央の庫室３０ｂにはそれぞれ商品コラム３０ｃが１列ずつ収納され、左側の庫室３０ｂには商品コラム３０ｃが２列収容されている。また、各商品コラム３０ｃの下側には図示しないシューターが設けられ、シューターは前面側に傾斜した板状部材から成る。
【００１８】
各搬出口３１は各庫室３０ｂに対応するように商品収納庫３０の前面下部に設けられている。また、右側の搬出口３１の左側部分の前方には商品取出部２６が配置され、右側の搬出口３１の右側部分の前方には硬貨収納庫２５が配置されている（図３及び図４参照）。
【００１９】
以上のように構成された自動販売機において、商品収納庫３０内の商品が搬出される際の動作を以下に説明する。ここで、案内部材４０は前述のように硬貨収納庫２５の後方に配置されるとともに右側の搬出口３１の前方に配置されている。
【００２０】
先ず、貨幣投入口２２に貨幣が投入されるとともに、何れか一つの商品選択ボタン２１ａが操作されると、その商品選択ボタン２１ａに対応した商品コラム３０ｃの下側からシューターに１つだけ商品が落下する。ここで、各庫室３０ｂのうち左側及び中央の庫室３０ｂの商品コラム３０ｃから商品が落下する場合は、落下した商品がシューターの傾斜によって前方に移動し、その商品が左側または中央の搬出口３１から搬出される。また、搬出口３１から搬出された商品は商品取出部２６の平面部２６ｂによって前方に案内され、その商品が商品取出部２６の凹状部２６ａ内に収容される。凹状部２６ａ内の商品は透明扉２６ｃを開放することにより前方から取出される。
【００２１】
一方、各庫室３０ｂのうち右側の商品コラム３０ｃからシューターに商品が落下する場合は、落下した商品がシューターの傾斜によって前方に移動し、その商品が右側の搬出口３１から搬出される。ここで、搬出口３１の前方には案内部材４０が配置されており、案内部材４０の底面４０ａは商品取出部２６の平面部２６ｂのわずかに上方に配置され、案内部材４０には底面４０ａの前端から上方に延びる正面壁４０ｂが設けられている。このため、搬出口３１から搬出された商品は案内部材４０の底面４０ａ及び正面壁４０ｂによって平面部２６ｂ側に案内される（図５参照）。また、商品は平面部２６ｂによって前方に案内され、その商品が商品取出部２６の凹状部２６ａ内に収容される。仮に、右側の搬出口３１の前方に案内部材４０が配置されていない場合は、右側の搬出口３１から搬出された商品の右端側が商品取出部２６の平面部２６ｂに載らないので、商品は平面部２６ｂから右側に落下する。即ち、右側の搬出口３１から搬出された商品が商品取出部２６内に収容されない。
【００２２】
このように、本実施形態によれば、外扉２０が閉鎖されている状態で案内部材４０が右側の搬出口３１の前方に配置されるとともに硬貨収納庫２５の後方に配置され、案内部材４０は搬出口３１から搬出された商品を商品取出部２６の平面部２６ｂ側に案内するようになっているので、硬貨収納庫２５の後方に右側の搬出口３１が配置されていても、右側の搬出口３１から搬出された商品が商品取出部２６に案内される。従って、商品取出部２６の右側に硬貨収納庫２５が配置されている場合でも、硬貨収納庫２５の後方に商品収納庫３０の搬出口３１を配置することができる。即ち、硬貨収納庫２５の後方に搬出口３１を配置できない場合は、右側の搬出口３１を硬貨収納庫２５の分だけ左側にずらして設ける必要があり、搬出口３１をずらして設ける分だけ右側の庫室３０ｂの幅寸法を大きくする必要があるが、本実施形態では硬貨収納庫２５の後方に搬出口３１を配置することができるので、商品収納庫３０内の庫室３０ｂの配置を任意に設定することができる。
【００２３】
また、外扉２０が開放されている際に硬貨収納庫２５の後方に案内部材４０が配置されるので、硬貨収納庫２５の盗難の防止を図る上で有利である。
【００２４】
また、案内部材４０を商品取出部２６の右側に回動可能に設け、案内部材４０を、右側に回動すると硬貨収納庫２５の後方に配置され、左側に回動すると商品取出部２６の背面側に配置されるように構成したので、硬貨収納庫２５の着脱等の硬貨収納庫２５に関する操作を容易に行うことができる。
【００２５】
また、硬貨収納庫２５の後方に案内部材４０が配置された際に、案内部材４０の係止孔４０ｆと硬貨収納庫２５の係止突起２５ａとが係止し、案内部材４０の回動が規制されるようにしたので、案内部材４０を硬貨収納庫２５の後方に確実に配置することができる。
【００２６】
尚、本実施形態では、案内部材４０を商品取出部２６の右側に回動可能に設けたものを示したが、案内部材４０を商品取出部２６の右側に着脱自在に取付けることも可能である。この場合でも、案内部材４０を商品取出部２６の右側に取付けることにより、案内部材４０を硬貨収納庫２５の後方に配置することができ、案内部材４０を商品取出部２６の右側から取外すことにより、硬貨収納庫２５に関する操作を容易に行うことができる。
【００２７】
また、本実施形態では、商品取出部２６の幅方向一端側に硬貨収納庫２５が配置されたものを示したが、商品取出部２６の幅方向一端側に貨幣選別装置２３やその他の機器が配置された場合でも、その機器の後方に案内部材４０を配置することにより、前述と同様の作用効果を達成することができる。
【図面の簡単な説明】
【００２８】
【図１】本発明の一実施形態を示す自動販売機の斜視図
【図２】外扉を開放した状態の自動販売機の斜視図
【図３】自動販売機の正面図
【図４】自動販売機本体の正面図
【図５】外扉の要部斜視図
【図６】外扉の要部斜視図
【図７】外扉の要部斜視図
【符号の説明】
【００２９】
１０…自動販売機本体、２０…外扉、２３…貨幣選別装置、２５…硬貨収納庫、２６…商品取出部、３０…商品収納庫、３０ａ…仕切壁、３０ｂ…庫室、３０ｃ…商品コラム、３１…搬出口、４０…案内部材、４０ａ…底面、４０ｂ…正面壁、４０ｃ…側面壁、４０ｄ…上端壁、４０ｅ…延設部、４０ｆ…係止孔、４１…取付部材、４２…シャフト。
【図１】
2008123023.tif 000003
【図２】
2008123023.tif 000004
【図３】
2008123023.tif 000005
【図４】
2008123023.tif 000006
【図５】
2008123023.tif 000007
【図６】
2008123023.tif 000008
【図７】
2008123023.tif 000009